(57)【要約】【課題】通信装置から送信される異なる制御情報メッセージをシグナリングする技術を提供する。【解決手段】第１の一定振幅のゼロ自己相関コードＣＡＺＡＣ基準信号ＲＳで乗算された記号は、タイムスロット内でユーザ装置の第１アンテナから第１の物理的アップリンク制御チャンネルを経て他のユーザ装置とマルチプレクスするよう送信される。第２のＣＡＺＡＣ  ＲＳで乗算された記号は、そのタイムスロット内でユーザ装置の第２アンテナから第２の物理的アップリンク制御チャンネルを経て他のユーザ装置とマルチプレクスするよう送信される。第１及び第２のＣＡＺＡＣ  ＲＳは、サイクリックシフトの少なくとも１つにより、又は第１及び第２のＣＡＺＡＣ  ＲＳの少なくとも１つに適用されるカバーコードにより、互いに直交される。記号は、同じでも異なってもよく、ＡＣＫ、ＮＡＣＫ又はスケジューリング要求指示子を表す。これらの教示は、３つ以上の送信アンテナへと拡張される。【選択図】図３
2014068357.tif 000002
【特許請求の範囲】
【請求項１】
タイムスロットにおいてユーザ装置の第１アンテナから第１基準信号を使用して第１の物理的アップリンク制御チャンネルを経て他のユーザ装置とマルチプレクスするよう送信を行うステップと、
前記タイムスロットにおいてユーザ装置の第２アンテナから第２基準信号を使用して第２の物理的アップリンク制御チャンネルを経て他のユーザ装置とマルチプレクスするよう送信を行うステップと、
を備え、前記第１基準信号及び第２基準信号は、サイクリックシフトのゼロ自己相関コードを含み、更に、前記サイクリックシフトの少なくとも１つにより、又は前記第１及び第２の基準信号の少なくとも１つに適用されるカバーコードにより、第２基準信号が第１基準信号に対して直交するようにした方法。
【請求項２】
前記タイムスロットにおいてユーザ装置の第３アンテナから第３基準信号を使用して第３の物理的アップリンク制御チャンネルを経て他のユーザ装置とマルチプレクスするよう送信を行うステップを更に備え、前記第３基準信号のチャンネルは、サイクリックシフトのゼロ自己相関コードを含み、更に、前記サイクリックシフトの少なくとも１つにより、又は前記第１及び第２、並びに第３の基準信号の少なくとも２つに適用されるカバーコードにより、前記第１基準信号及び第２基準信号の両方に対して直交するようにした、請求項１に記載の方法。
【請求項３】
前記第１基準信号は、第１のサイクリックシフトによりサイクリックにシフトされ、前記第２基準信号は、第２のサイクリックシフトによりサイクリックにシフトされ、そして前記第１及び第２のサイクリックシフトは、互いに直交する、請求項１に記載の方法。
【請求項４】
前記第１及び第２の基準信号は、少なくとも、それらのうちの少なくとも一方に適用されるカバーコードにより互いに直交される、請求項１に記載の方法。
【請求項５】
前記第１アンテナからの送信及び前記第２アンテナからの送信は、前記第１及び第２の各基準信号により乗算された同じ記号を含む、請求項１から４のいずれかに記載の方法。
【請求項６】
前記第１アンテナからの送信及び前記第２アンテナからの送信は、前記第１及び第２の各基準信号により乗算された異なる記号を含む、請求項１から４のいずれかに記載の方法。
【請求項７】
前記第１アンテナ及び第２アンテナからの送信は、
スケジューリング要求指示子を送信すること、又は
少なくとも第１基準信号が持続的に割り当てられるダウンリンクリソースへマップされるようにその持続的に割り当てられるダウンリンクリソースにおいて受け取られるデータに対する確認を送信すること、又は
少なくとも第１基準信号が持続的に割り当てられるダウンリンクリソースへマップされるようにその持続的に割り当てられるダウンリンクリソースに基づいて受け取られないデータに対する否定確認を送信すること、
のうちの１つを含む、請求項１から４のいずれかに記載の方法。
【請求項８】
第１又は第２のアンテナから送信を行う前に、少なくとも１つの物理的ダウンリンクチャンネルを経てデータを受け取り、そしてその少なくとも１つの物理的ダウンリンクチャンネルを少なくとも第１の物理的アップリンク制御チャンネルへマップすることを更に含み、更に、第１及び第２のアンテナからの送信は、各々、データが適切に受け取られた場合の確認、又はデータが適切に受け取られない場合の否定確認を含む、請求項１から４のいずれかに記載の方法。
【請求項９】
前記少なくとも１つの物理的ダウンリンクチャンネルは、物理的ダウンリンク制御チャンネルを経てユーザ装置へ動的に割り当てられ、
前記少なくとも１つの物理的ダウンリンクチャンネルが１つの物理的ダウンリンクチャンネルだけである場合は、ユーザ装置は、１つの物理的ダウンリンク制御チャンネルの第１制御チャンネル要素を経て物理的ダウンリンクチャンネルを第１基準信号へマップすると共に、１つの物理的ダウンリンク制御チャンネルの第２制御チャンネル要素を経て物理的ダウンリンクチャンネルを第２基準信号へマップし、又は
前記少なくとも１つの物理的ダウンリンクチャンネルが少なくとも第１及び第２の物理的ダウンリンクチャンネルである場合は、ユーザ装置は、第１の物理的ダウンリンク制御チャンネルの制御チャンネル要素を経て物理的ダウンリンクチャンネルを第１基準信号へマップすると共に、第２の物理的ダウンリンク制御チャンネルの制御チャンネル要素を経て物理的ダウンリンクチャンネルを第２基準信号へマップする、
ことを含む請求項８に記載の方法。
【請求項１０】
前記第１及び第２のアンテナの各々からの送信は、チャンネルクオリティ指示子を送信することを含む、請求項１から４のいずれかに記載の方法。
【請求項１１】
送信手段、処理手段、及び少なくとも第１及び第２の放射手段を備えた装置において、
送信手段は、タイムスロットにおいて第１放射手段から第１基準信号を使用して第１の物理的アップリンク制御チャンネルを経て他の装置とマルチプレクスするよう送信を行うものであり、
送信手段は、更に、前記タイムスロットにおいて第２放射手段から第２基準信号を使用して第２の物理的アップリンク制御チャンネルを経て他の装置とマルチプレクスするよう送信を行うもので、第１及び第２の基準信号は、ゼロ自己相関コードを含み、
処理手段は、第１及び第２の基準信号をサイクリックシフトすると共に、サイクリックシフトの少なくとも１つにより、又は第１及び第２の基準信号の少なくとも１つに適用されるカバーコードにより、第１及び第２の基準信号を互いに直交させる、装置。
【請求項１２】
第３の放射手段を更に備え、
前記送信手段は、更に、前記タイムスロットにおいて第３放射手段から第３基準信号を使用して第３の物理的アップリンク制御チャンネルを経て他の装置とマルチプレクスするよう送信を行うものであり、前記処理手段は、更に、第３基準信号をサイクリックシフトし、そして前記サイクリックシフトの少なくとも１つにより、又は前記第１及び第２並びに第３の基準信号の少なくとも２つに適用されるカバーコードにより、前記第１及び第２並びに第３基準信号を互いに直交させるようにした、請求項１１に記載の装置。
【請求項１３】
前記処理手段は、前記第１基準信号を第１のサイクリックシフトによりサイクリックにシフトさせ、前記第２基準信号を第２のサイクリックシフトによりサイクリックにシフトさせ、そして前記第１及び第２のサイクリックシフトは、互いに直交する、請求項１１に記載の装置。
【請求項１４】
前記処理手段は、前記第１及び第２の基準信号を、少なくとも、それらのうちの少なくとも一方に適用されるカバーコードにより互いに直交させる、請求項１１に記載の装置。
【請求項１５】
前記送信手段は、前記第１及び第２の各放射手段から、前記第１及び第２の各基準信号により乗算された同じ記号を送信するためのものである、請求項１１から１４のいずれかに記載の装置。
【請求項１６】
前記送信手段は、前記第１及び第２の各放射手段から、前記第１及び第２の各基準信号により乗算された異なる記号を送信するためのものである、請求項１１から１４のいずれかに記載の装置。
【請求項１７】
前記第１及び第２の基準信号は、前記送信手段により、
スケジューリング要求指示子、又は
前記処理手段が少なくとも第１基準信号を持続的に割り当てられるダウンリンクリソースへとマップさせるように、その持続的に割り当てられるダウンリンクリソースにおいて装置の受信器に受け取られるデータに対する確認、又は
前記処理手段が少なくとも第１基準信号を持続的に割り当てられるダウンリンクリソースへマップさせるように、その持続的に割り当てられるダウンリンクリソースに基づいて装置の受信器に受け取られないデータに対する否定確認、
のうちの１つと共に送信される、請求項１１から１４のいずれかに記載の装置。
【請求項１８】
前記送信手段が第１又は第２の放射手段から送信を行う前に、少なくとも１つの物理的ダウンリンクチャンネルを経てデータを受け取るように構成された受信器を更に備え、
前記処理手段は、前記少なくとも１つの物理的ダウンリンクチャンネルを少なくとも第１の物理的アップリンク制御チャンネルへマップするものであり、更に、
前記第１及び第２の基準信号は、前記送信手段により、前記受信器がデータを適切に受け取る場合の確認、又は前記受信器がデータを適切に受け取らない場合の否定確認と共に送信される、請求項１１から１４のいずれかに記載の装置。
【請求項１９】
前記少なくとも１つの物理的ダウンリンクチャンネルの動的割り当てを受け取るように構成された受信器を更に備え、
前記少なくとも１つの物理的ダウンリンクチャンネルが１つの物理的ダウンリンクチャンネルだけである場合には、前記処理手段は、１つの物理的ダウンリンク制御チャンネルの第１制御チャンネル要素を経て物理的ダウンリンクチャンネルを第１基準信号へマップすると共に、１つの物理的ダウンリンク制御チャンネルの第２制御チャンネル要素を経て物理的ダウンリンクチャンネルを第２基準信号へマップし、又は
前記少なくとも１つの物理的ダウンリンクチャンネルが少なくとも第１及び第２の物理的ダウンリンクチャンネルである場合には、前記処理手段は、第１の物理的ダウンリンク制御チャンネルの制御チャンネル要素を経て物理的ダウンリンクチャンネルを第１基準信号へマップすると共に、第２の物理的ダウンリンク制御チャンネルの制御チャンネル要素を経て物理的ダウンリンクチャンネルを第２基準信号へマップする、請求項１８に記載の装置。
【請求項２０】
前記送信手段は、第１及び第２の各放射手段から第１及び第２の各基準信号をチャンネルクオリティ指示子と共に送信する、請求項１１から１４のいずれかに記載の装置。
【請求項２１】
前記送信手段は、送信器を含み、前記処理手段は、プロセッサを含み、そして前記第１及び第２の放射手段は、第１及び第２の各送信アンテナを含む、請求項１１から１４のいずれかに記載の装置。
【請求項２２】
プロセッサにより実行されたときに直交信号を送信することに向けられるアクションを生じるインストラクションのプログラムを実施するメモリにおいて、前記アクションは、
タイムスロットにおいてユーザ装置の第１アンテナから第１基準信号を使用して第１の物理的アップリンク制御チャンネルを経て他のユーザ装置とマルチプレクスするよう送信を行い、そして
前記タイムスロットにおいてユーザ装置の第２アンテナから第２基準信号を使用して第２の物理的アップリンク制御チャンネルを経て他のユーザ装置とマルチプレクスするよう送信を行う、
ことを含み、前記第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交するようにした、メモリ。
【請求項２３】
前記アクションは、更に、前記タイムスロットにおいてユーザ装置の第３アンテナから第３基準信号を使用して第３の物理的アップリンク制御チャンネルを経て他のユーザ装置とマルチプレクスするよう送信を行うことを含み、前記第３基準信号のチャンネルは、サイクリックシフトのゼロ自己相関コードを含み、更に、前記サイクリックシフトの少なくとも１つにより、又は前記第１及び第２、並びに第３の基準信号の少なくとも２つに適用されるカバーコードにより、前記第１基準信号及び第２基準信号の両方に対して直交するようにした、請求項２２に記載のメモリ。
【請求項２４】
前記第１基準信号は、第１のサイクリックシフトによりサイクリックにシフトされ、前記第２基準信号は、第２のサイクリックシフトによりサイクリックにシフトされ、そして前記第１及び第２のサイクリックシフトは、互いに直交する、請求項２２に記載のメモリ。
【請求項２５】
前記第１及び第２の基準信号は、少なくとも、それらのうちの少なくとも一方に適用されるカバーコードにより互いに直交される、請求項２２に記載のメモリ。
【請求項２６】
前記第１アンテナからの送信及び前記第２アンテナからの送信は、前記第１及び第２の各基準信号により乗算された同じ記号を含む、請求項２２から２５のいずれかに記載のメモリ。
【請求項２７】
前記第１アンテナからの送信及び前記第２アンテナからの送信は、前記第１及び第２の各基準信号により乗算された異なる記号を含む、請求項２２から２５のいずれかに記載のメモリ。
【請求項２８】
前記第１アンテナ及び第２アンテナからの送信は、
スケジューリング要求指示子を送信すること、又は
少なくとも第１基準信号が持続的に割り当てられるダウンリンクリソースへマップされるようにその持続的に割り当てられるダウンリンクリソースにおいて受け取られるデータに対する確認を送信すること、又は
少なくとも第１基準信号が持続的に割り当てられるダウンリンクリソースへマップされるようにその持続的に割り当てられるダウンリンクリソースに基づいて受け取られないデータに対する否定確認を送信すること、
のうちの１つを含む、請求項２２から２５のいずれかに記載のメモリ。
【請求項２９】
前記アクションは、更に、第１又は第２のアンテナから送信を行う前に、少なくとも１つの物理的ダウンリンクチャンネルを経てデータを受け取り、そしてその少なくとも１つの物理的ダウンリンクチャンネルを少なくとも第１の物理的アップリンク制御チャンネルへマップすることを含み、更に、第１及び第２のアンテナからの送信は、各々、データが適切に受け取られた場合の確認、又はデータが適切に受け取られない場合の否定確認を含む、請求項２２から２５のいずれかに記載のメモリ。
【請求項３０】
前記少なくとも１つの物理的ダウンリンクチャンネルは、物理的ダウンリンク制御チャンネルを経てユーザ装置へ動的に割り当てられ、
前記少なくとも１つの物理的ダウンリンクチャンネルが１つの物理的ダウンリンクチャンネルだけである場合は、ユーザ装置は、１つの物理的ダウンリンク制御チャンネルの第１制御チャンネル要素を経て物理的ダウンリンクチャンネルを第１基準信号へマップすると共に、１つの物理的ダウンリンク制御チャンネルの第２制御チャンネル要素を経て物理的ダウンリンクチャンネルを第２基準信号へマップし、又は
前記少なくとも１つの物理的ダウンリンクチャンネルが少なくとも第１及び第２の物理的ダウンリンクチャンネルである場合は、ユーザ装置は、第１の物理的ダウンリンク制御チャンネルの制御チャンネル要素を経て物理的ダウンリンクチャンネルを第１基準信号へマップすると共に、第２の物理的ダウンリンク制御チャンネルの制御チャンネル要素を経て物理的ダウンリンクチャンネルを第２基準信号へマップする、
請求項２９に記載のメモリ。
【請求項３１】
タイムスロットにおいて第１の物理的アップリンク制御チャンネルを経て第１基準信号を含む第１の複数のユーザ装置からの第１のマルチプレクスされた信号を受信するステップと、
前記タイムスロットにおいて第２の物理的アップリンク制御チャンネルを経て第２基準信号を含む第２の複数のユーザ装置からの第２のマルチプレクスされた信号を受信するステップと、を備え、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交され、更に、
前記第１及び第２基準信号を第１ユーザ装置へマッピングさせるステップを備え、この第１ユーザ装置は、前記第１の複数及び第２の複数の両ユーザ装置のメンバーであるようにした、方法。
【請求項３２】
前記第１ユーザ装置にダウンリンクリソース割り当てを割り当て、そしてそのダウンリンクリソース割り当てに関するデータを前記ユーザ装置へ送信するステップを更に備え、
前記第１及び第２の基準信号は、送信データに対する確認又は送信データに対する否定確認の一方で乗算される、請求項３１に記載の方法。
【請求項３３】
受信器及びプロセッサを備えた装置において、
受信器は、タイムスロットにおいて第１の物理的アップリンク制御チャンネルを経て、第１基準信号を含む第１の複数のユーザ装置から第１のマルチプレクスされた信号を受信するように構成され、
受信器は、更に、前記タイムスロットにおいて第２の物理的アップリンク制御チャンネルを経て、第２基準信号を含む第２の複数のユーザ装置から第２のマルチプレクスされた信号を受信するように構成され、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交するようにされ、
プロセッサは、第１及び第２の基準信号を第１ユーザ装置へマッピングさせるよう構成され、この第１ユーザ装置は、前記第１の複数及び第２の複数の両ユーザ装置のメンバーである、装置。
【請求項３４】
ダウンリンクリソース割り当てを前記第１ユーザ装置へ送信し、そしてそのダウンリンクリソース割り当てに関するデータを前記ユーザ装置へ送信するように構成された送信器を更に備え、
前記第１及び第２の基準信号は、送信データに対する確認又は送信データに対する否定確認の一方で乗算される、請求項３３に記載の装置。
【発明の詳細な説明】
【技術分野】
【０００１】
本発明は、一般的に、ワイヤレス通信システム、方法、装置及びコンピュータプログラムに係り、より詳細には、通信装置から送信される異なる制御情報メッセージをシグナリングする技術に係るが、これに限定されない。
【背景技術】
【０００２】
明細書及び／又は添付図面に現れる以下の省略形は、次のように定義される。
３ＧＰＰ：第３世代パートナーシッププロジェクト
ＡＣＫ：確認
ＣＡＺＡＣ：一定振幅ゼロ自己相関コード
ＣＣＥ：制御チャンネル要素
ＣＤＭ：コード分割マルチプレクス
ＣＱＩ：チャンネルクオリティ指示子
ＤＬ：ダウンリンク
ＤＭ：デマルチプレクス
ｅＮｏｄｅ  Ｂ：ＥＵＴＲＡＮ／ＬＴＥシステムのベースステーション
ＥＵＴＲＡＮ：進化型ＵＴＲＡＮ（ＬＴＥ又は３．９Ｇとも称される）
ＦＤＤ：周波数分割デュープレックス
ＬＴＥ：長期進化
ＩＴＵ：インターナショナルテレコミュニケーションユニオン
ＩＴＵ−Ｒ：ＩＴＵ無線通信セクタ
ＬＡ：位置エリア
ＮＡＣＫ：否定ＡＣＫ
ＯＦＤＭＡ：直交周波数分割マルチアクセス
ＰＵＣＣＨ：物理的アップリンク制御チャンネル
ＰＤＣＣＨ：物理的ダウンリンク制御チャンネル
Ｒｅｌ．８：３ＧＰＰリリース８
Ｒｅｌ．９：３ＧＰＰリリース９
ＳＲＩ：スケジューリング要求指示子
ＵＥ：ユーザ装置
ＵＬ：アップリンク
ＵＴＲＡ：ユニバーサル移動テレコミュニケーションシステム地上オーディオアクセス  ＵＴＲＡＮ：ＵＴＲＡネットワーク
【０００３】
進化型ＵＴＲＡＮ（Ｅ−ＵＴＲＡＮ、これは、ＵＴＲＡＮ−ＬＴＥ、Ｅ−ＵＴＲＡ又は３．９Ｇとも称される）として知られている提案された通信システムは、３ＧＰＰにおいて現在開発中である。現在研究中の仮定は、ＤＬアクセス技術がＯＦＤＭＡであり、ＵＬアクセス技術がＳＣ−ＦＤＭＡであるというものである。
【０００４】
本発明に関連したこれら及び他の問題に対し関心のある１つの当該仕様は、３ＧＰＰ  ＴＳ  ３６．２１１、Ｖ８．２．０（２００８−０３）、第三世代パートナーシッププロジェクト；技術的仕様グループ無線アクセスネットワーク；進化型ユニバーサル地上無線アクセス（Ｅ−ＵＴＲＡ）及び進化型ユニバーサル地上アクセスネットワーク（Ｅ−ＵＴＲＡＮ）；物理的チャンネル及び変調（リリース８）である。
【０００５】
高いデータレートを非常に低いコストで提供するために３ＧＰＰ  ＬＴＥ  Ｒｅｌ．８無線アクセス技術を拡張し最適化することに益々焦点が当てられている。これらの技術は、おそらくＬＴＥ  Ｒｅｌ．１０の一部分であるＬＴＥアドバンストシステム（ＬＴＥ−Ａ）に関連している。ＬＴＥ−Ａは、ＬＴＥ  Ｒｅｌ．８との後方互換性を保持しながらＩＭＴアドバンストのためのＩＴＵ−Ｒ要求を満足するローカルエリア最適化無線システムである。３ＧＰＰは、ＬＴＥ−Ａについてのスタディアイテムを開始した。ＵＥに２個又は４個の送信アンテナを伴うＳＵ−ＭＩＭＯは、ＬＴＥ−Ａの一部分であることが通常理解される（例えば、LTE Advanced Workshop; Summary of LTE Advanced Requirements presented at the Workshop, Source: 3GPP TSG RAN Chairman: Doc. Number REV-080058を参照されたい）。
【０００６】
又、高いデータレートセットは、制御シグナリングのための要求を高めると仮定することができる。ＡＣＫ／ＮＡＣＫ、ＣＱＩ及びスケジューリング要求のようなＵＬ制御信号は、ＵＬデータが存在しないときにＰＵＣＣＨ（物理的アップリンク制御チャンネル）を経て送信される。ＰＵＣＣＨでは、異なるＵＥが、ＣＤＭにより同じ周波数及び時間リソースにおいてマルチプレクスされる。前記で参照した３ＧＰＰ  ＴＳ  ３６．２１１は、マルチプレクシングを達成する２つの仕方、即ち（ＰＵＣＣＨフォーマット２ａ及び２ｂを参照して説明された）同じベースＣＡＺＡＣシーケンスの異なるサイクリックシフトを使用する仕方；及び／又は（ＰＵＣＣＨフォーマット１ａ及び１ｂを参照して説明された）記号のブロック間の異なる時間ドメイン拡散コードを使用する仕方を説明している。これらのフォーマットは、前記で参照した３ＧＰＰ  ＴＳ  ３６．２１１文書のセクション５．４．１ないし５．４．３、並びにそこに使用された定義、記号、及び省略形において詳述されている。
【０００７】
閉ループスキームに要求される瞬時チャンネル状態は、ＰＵＣＣＨ（ＦＤＤモード）では得られず、従って、ここでは、開ループ送信について考える。このような実施は、２つの問題、即ちＵＬ測定能力、及びＤＬシグナリング構成、に対処する必要がある。少なくとも、ＡＣＫ／ＮＡＣＫシグナリングが動的にスケジューリングされたＤＬデータに関連している場合には、（システムの複雑さ及びＤＬオーバーヘッドを犠牲にして）ＰＤＣＣＨを経て送信されるＤＬリソース割り当て許可に幾つかの閉ループシグナリングビットを配置できることに注意されたい。しかしながら、必要とされる測定能力を経済的に配置することは、不可能ではないまでも、困難であると思われる。
【０００８】
開ループ送信ダイバーシティは、異なる送信アンテナに対して直交リソースを必要とする（さもなければ、送信アンテナが互いに干渉する）。Ｒｅｌ．８  ＰＵＣＣＨにはＣＤＭ形式のアクセスが使用されるために、スペース時間コーディングに利用できる付加的な（記号）スペースは存在しない（これは、周波数及び時間の両ドメインの場合にそうである）。ＡＣＫ／ＮＡＣＫチャンネルのマルチプレクス能力は、基準信号（ＲＳ）シーケンスの数により制限される。スロット当たりのパラレルＡＣＫ／ＮＡＣＫチャンネル（通常ＣＰ）は、３ｘ１２＝３６に等しい。この数は、１つのスロット中にＰＵＣＣＨを経て送信されるＲＳ記号の数に等しい。
【発明の概要】
【発明が解決しようとする課題】
【０００９】
本発明者の知る限り、ＰＵＣＣＨのためのＵＬの開ループ送信ダイバーシティ送信に関する特別の提案はない。良く知られたアラモチスキーム（例えば、ＷＣＤＭＡシステムのＤＬに使用される）を、２つの連続するＯＦＤＭＡ記号間に適用することができる。しかしながら、述べられているように、利用可能な記号スペースが個別の異なるＵＥに使用されるために、この技術をＰＵＣＣＨに使用することはできない。
【課題を解決するための手段】
【００１０】
本発明の一実施形態によれば、タイムスロットにおいてユーザ装置の第１アンテナから第１基準信号を使用して第１の物理的アップリンク制御チャンネルを経て他のユーザ装置とマルチプレクスするように送信を行い、そしてそのタイムスロットにおいてユーザ装置の第２アンテナから第２基準信号を使用して第２の物理的アップリンク制御チャンネルを経て他のユーザ装置とマルチプレクスするように送信を行うことを含み、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交されるようにした方法が提供される。
【００１１】
本発明の別の実施形態によれば、プロセッサによって実行されたときに直交信号を送信することに向けられるアクションを生じるインストラクションのプログラムを実施するメモリが提供される。本発明のこの実施形態では、前記アクションは、タイムスロットにおいてユーザ装置の第１アンテナから第１基準信号を使用して第１の物理的アップリンク制御チャンネルを経て他のユーザ装置とマルチプレクスするように送信を行い、そしてそのタイムスロットにおいてユーザ装置の第２アンテナから第２基準信号を使用して第２の物理的アップリンク制御チャンネルを経て他のユーザ装置とマルチプレクスするように送信を行うことを含む。この実施形態では、第１基準信号及び第２基準信号は、各々、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交される。
【００１２】
本発明の更に別の実施形態によれば、送信器と、プロセッサと、少なくとも第１及び第２のアンテナとを備えた装置が提供される。送信器は、タイムスロットにおいて第１アンテナから第１基準信号を使用して第１の物理的アップリンク制御チャンネルを経て他の装置とマルチプレクスするように送信を行うよう構成され、更に、送信器は、そのタイムスロットにおいて第２アンテナから第２基準信号を使用して第２の物理的アップリンク制御チャンネルを経て他の装置とマルチプレクスするように送信を行うよう構成される。第１及び第２の基準信号は、ゼロ自己相関コードを含む。プロセッサは、第１及び第２の基準信号をサイクリックシフトし、そしてサイクリックシフトの少なくとも１つにより、又は第１及び第２の基準信号の少なくとも１つに適用されるカバーコードにより、第１及び第２の基準信号を互いに直交させるように構成される。
【００１３】
本発明の更に別の実施形態によれば、送信手段と、処理手段と、少なくとも第１及び第２の放射手段とを備えた装置が提供される。送信手段（例えば、送信器）は、タイムスロットにおいて第１放射手段（例えば、第１送信アンテナ）から第１基準信号を使用して第１の物理的アップリンク制御チャンネルを経て他の装置とマルチプレクスするように送信を行うものであり、更に、送信手段は、そのタイムスロットにおいて第２放射手段（例えば、第２送信アンテナ）から第２基準信号を使用して第２の物理的アップリンク制御チャンネルを経て他の装置とマルチプレクスするように送信を行うものである。第１及び第２の基準信号は、ゼロ自己相関コードを含む。処理手段は、第１及び第２の基準信号をサイクリックシフトすると共に、サイクリックシフトの少なくとも１つにより、又は第１及び第２の基準信号の少なくとも１つに適用されるカバーコードにより、第１及び第２の基準信号を互いに直交させるものである。
【００１４】
本発明の更に別の実施形態によれば、タイムスロットにおいて第１の物理的アップリンク制御チャンネルを経て第１基準信号を含む第１の複数のユーザ装置からの第１のマルチプレクスされた信号を受信し、そしてそのタイムスロットにおいて第２の物理的アップリンク制御チャンネルを経て第２基準信号を含む第２の複数のユーザ装置からの第２のマルチプレクスされた信号を受信することを含み、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交され、そして第１及び第２の基準信号を第１ユーザ装置へマッピングさせ、この第１ユーザ装置は、第１の複数の及び第２の複数の両ユーザ装置のメンバーである。
【００１５】
本発明の更に別の実施形態によれば、受信器及びプロセッサを備えた装置が提供される。受信器は、タイムスロットにおいて第１の物理的アップリンク制御チャンネルを経て第１基準信号を含む第１の複数のユーザ装置からの第１のマルチプレクスされた信号を受信するように構成される。又、受信器は、そのタイムスロットにおいて第２の物理的アップリンク制御チャンネルを経て第２基準信号を含む第２の複数のユーザ装置からの第２のマルチプレクスされた信号を受信するように構成され、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交される。プロセッサは、第１及び第２の基準信号を第１ユーザ装置へマッピングさせるよう構成され、この第１ユーザ装置は、第１の複数の及び第２の複数の両ユーザ装置のメンバーである。
【００１６】
本発明の規範的実施形態の前記及び他の態様は、以下の詳細な説明を、添付図面を参照して読んだときに、明らかとなろう。
【図面の簡単な説明】
【００１７】
【図１】本発明の幾つかの実施形態に使用される通常のサイクリックプレフィックスを伴う１８個のＡＣＫ／ＮＡＣＫチャンネルの場合のリソース割り当てを示す従来のテーブルを示す。
【図２】本発明の実施形態に使用されるＣＱＩチャンネルのインデックス及びそれらチャンネルのサイクリックシフトを示すテーブルである。
【図３】ここに述べる本発明の実施形態を具現化するのに使用される幾つかの装置を示す回路図である。
【図４】方法の動作を示すと共に、図２に示すデータプロセッサによるコンピュータプログラムインストラクションの実行の結果を示す論理的フローチャートである。
【発明を実施するための形態】
【００１８】
ＰＵＣＣＨのためのマルチアンテナ送信構成について以下に詳細に述べるが、本発明は、これに限定されず、本発明の教示は、ＬＴＥシステムに対応するようにここに使用される異なる用語を使用する他のワイヤレス通信システムへと容易に拡張できることを理解されたい。
【００１９】
１つの規範的な態様において、これら教示の実施形態は、同じＵＥの異なる送信アンテナに対して個別のＰＵＣＣＨチャンネルを提供する。これら教示によれば、ＵＥは、異なるアンテナチャンネルからのビットの同じ記号／ブロックを送信することによりダイバーシティＭＩＭＯモードで送信を行うこともできるし、又は異なるアンテナ／チャンネルからのビットの異なる記号／ブロックを送信することにより情報ＭＩＭＯモードで送信を行うこともできる。
【００２０】
先ず、ＡＣＫ／ＮＡＣＫ送信のための特定の実施例について考える。ＰＵＣＣＨにおける現在のＡＣＫ／ＮＡＣＫチャンネルチャンネル化は、図１の実施例に示す食い違い型のＡＣＫ／ＮＡＣＫ構造に基づくものであり、これは、２００８年１月１４〜１８日、スペイン、セビリア、３ＧＰＰ  ＴＳＧ  ＲＡＮ  ＷＧ１ミーティング＃５１ｂｉｓのテーブル３（ドキュメントＲ１−０８００３５）から再現され、ここで、インデックスｋは、ｋ番目のＡＣＫ／ＮＡＣＫリソースを表す。図１には、セル特有のサイクリックシフトオフセットパラメータ及びデルタパラメータがあり、これは、セルにおいてブロードキャストされる２つの隣接ＡＣＫ／ＮＡＣＫリソース間のサイクリックシフト差である（例えば、システム情報を伴う）。例えば、図１に示すチャンネル化実施例に基づいて、ＣＡＺＡＣルートシーケンスの直交カバーコード及びサイクリックシフトを使用することができる。この同じチャンネル化構造を、これらの教示に基づき、ＡＣＫ／ＮＡＣＫ（動的にスケジュールされ及び持続的の両方）に使用することができる。
【００２１】
ＬＴＥシステム及びこれら実施例の背景として、ｅＮｏｄｅＢは、セル内の複数のＵＥにＵＬ及びＤＬリソースのいずれか又は両方を割り当てる割り当てテーブルＡＴを、物理的ダウンリンク制御チャンネルＰＤＣＣＨを経て送信する。ＵＬ制御チャンネルのリソース割り当てに関して、個々のＵＥは、その割り当てを読み取り、そしてＵＥがその割り当てられたＤＬリソースを経て受信するようスケジュールされたデータに対してＡＣＫ／ＮＡＣＫを送信するときに通るＵＬ制御リソースへとそのＤＬ割り当てをマップする。従って、ＡＣＫ／ＮＡＣＫリソースは、ｅＮｏｄｅＢがオリジナル割り当てを送信したときに通るＤＬ制御リソースＰＤＣＣＨから導出される。ｅＮｏｄｅＢによるリソーススケジューリングの最大の融通性を促進するために、ｅＮｏｄｅＢは、ＰＤＣＣＨを経てその無線リソースを動的に割り当てることができ、ここで、割り当ては、１つのタイムスロットについてのみ有効である。大量の制御データ又は規則的間隔の予想流が同じＵＥへ又は同じＵＥから送られる場合には、ｅＮｏｄｅＢは、ＰＤＣＣＨを経て送られるリソース割り当てを持続的割り当てとするように選択し、この持続的割り当ては、実施形態に基づいて、２つのタイムスロット、３つのタイムスロット、等の間、持続するか、或いは割り当てがキャンセルされるまで不定に持続する。持続的割り当てのキャンセルは、ｅＮｏｄｅＢからの制御シグナリングにより明確にされてもよいし、又はＵＥからのＮＡＣＫに続いて、ＮＡＣＫデータの再送信をｅＮｏｄｅＢが失敗することにより暗示されてもよい。
【００２２】
持続的割り当て及びＳＲＩについてのＡＣＫ／ＮＡＣＫを最初に考える。本発明の一実施形態によれば、ＵＥが持続的にスケジューリングされたデータに対してＡＣＫ／ＮＡＣＫを送信する場合、及びＵＥがスケジューリング要求指示子ＳＲＩ（これにより、ＵＥは、ＵＬリソース割り当てを望むことをｅＮｏｄｅＢに通知する）を送信する場合に、ｅＮｏｄｅＢからの上位層シグナリング（又はそれより上位、図３を参照）を使用して、ＡＣＫ／ＮＡＣＫ又はＳＲＩのシグナリング時に使用すべき適用ＡＣＫ／ＮＡＣＫチャンネル（即ち、ＡＣＫ／ＮＡＣＫリソースを表すインデックスｋ）を構成する。これらの教示により、この上位層シグナリングは、複数のＡＣＫ／ＮＡＣＫチャンネル、即ち送信アンテナごとに１つのチャンネル（例えば、２つの送信アンテナではｋ＝３及びｋ＝６、３つのアンテナではｋ＝２、ｋ＝８及びｋ＝１５）と、互いに直交する同じＡＣＫ／ＮＡＣＫ又はＳＲＩに対して同じＵＥに割り当てられた各ＡＣＫ／ＮＡＣＫリソースとを含むように拡張される。上位層シグナリングへのこの拡張は、明確なものでもよいし、又はｋの１つの値の既存のシグナリングが不変のままであるという点で暗示的でもよいが、ＵＥ及びｅＮｏｄｅＢの両方は、付加的なアンテナに対する適用ＡＣＫ／ＮＡＣＫリソースが、第１のＵＥアンテナに適用される明確にシグナリングされるＡＣＫ／ＮＡＣＫ／ＳＲＩに対するものであることを理解する。例えば、明確にシグナリングされるインデックスｋは、第１アンテナＡＣＫ／ＮＡＣＫ／ＳＲＩ送信に対して使用され、そして（ｋ＋１）は、第２アンテナＡＣＫ／ＮＡＣＫ／ＳＲＩ送信に対して暗示的に理解される。
【００２３】
動的なリソース割り当てにおいてＵＥにより受信されたデータに対しＡＣＫ／ＮＡＣＫを送信することに関連した本発明の幾つかの規範的実施形態について以下に考える。動的にスケジュールされたデータの場合の第１の規範的実施形態では、ＡＣＫ／ＮＡＣＫリソースは、ＰＤＣＣＨの第１（例えば、最下位）の制御チャンネル要素ＣＣＥに基づいている。ＬＴＥ  Ｒｅｌ．８では、ＰＤＣＣＨを構成するためのＣＣＥの数について考えられる値は、１、２、４及び８に等しい。１より大きなＣＣＥが使用される場合に、各ＣＣＥが専用のＡＣＫ／ＮＡＣＫリソースへマップされると仮定すれば、１つ以上のＡＣＫ／ＮＡＣＫリソースが未使用のままである。この実施形態によれば、開ループ送信ダイバーシティは、次のように特定される。第１の送信アンテナは、最下位のＣＣＥに対応するＡＣＫ／ＮＡＣＫチャンネルを利用する。簡単化のために、このＡＣＫ／ＮＡＣＫチャンネルをｋと表す。次いで、第２の送信アンテナは、（ｋ＋１）番目のＡＣＫ／ＮＡＣＫチャンネルを利用する。第３の送信アンテナがある場合には、（ｋ＋２）番目のＡＣＫ／ＮＡＣＫチャンネルを経てＡＣＫ／ＮＡＣＫが送信され、等々となる（ＵＥが使用に供する多数の送信アンテナに対して）。本来的に、この実施形態は、開ループ送信ダイバーシティとして使用される２つ以上のＣＣＥが、この例において、２つ以上のＣＣＥからＡＣＫ／ＮＡＣＫリソースへのマップを必要とする場合に限定されることに注意されたい。
【００２４】
2014068357.tif 000003
【００２５】
動的にスケジュールされるデータの場合の開ループ送信ダイバーシティの第３の規範的実施形態において、ＵＥの第１送信アンテナは、Ｒｅｌ．８に現在指定されているような最下位ＣＣＥに対応するＡＣＫ／ＮＡＣＫチャンネルを利用する。ＵＥの第２送信アンテナは、第２送信アンテナの送信に対して予約されたＡＣＫ／ＮＡＣＫチャンネルのプールから付加的なＡＣＫ／ＮＡＣＫチャンネルを利用する。ｅＮｏｄｅＢは、システム情報ブロードキャストにより変更され、従って、全てのＵＥにより知られるようにＡＣＫ／ＮＡＣＫチャンネルのこのプールを予約することもできるし、或いはブロードキャストせずにそれ自身でそれらチャンネルを予約することもできる。プールが、少なくとも複数の送信アンテナをもつ全てのＵＥに知られた第１の変形例の場合に、第２送信アンテナリソースについて予約されたＡＣＫ／ＮＡＣＫリソースのプールからの特定のＡＣＫ／ＮＡＣＫチャンネルは、最下位のＣＣＥに対応する。前記別の仕方で、最下位のＣＣＥは、プールの外側の第１のＡＣＫ／ＮＡＣＫリソースへマップすると共に、第２アンテナ送信のＡＣＫ／ＮＡＣＫリソースについて予約されたプール内の第２のＡＣＫ／ＮＡＣＫリソースへもマップする。どのＡＣＫ／ＮＡＣＫリソースが予約されたプールを形成するかＵＥが知らない第２の変形例では、ｅＮｏｄｅＢは、個々のＵＥが第２のアンテナ送信のために使用する特定のＡＣＫ／ＮＡＣＫリソースをＵＥのグループへ持続的に割り当てるが、ＵＥのグループに対するこの持続的割り当ては、ＵＥのグループ内のＵＥが第２アンテナ送信に対してＰＵＣＣＨ  ＡＣＫ／ＮＡＣＫチャンネルを同時に使用しないというスケジューリング制約で行われる。これらの変形例は、いずれも、３つ以上の送信アンテナへと容易に拡張することができる。
【００２６】
ＵＥによるＣＱＩシグナリングのための本発明の規範的実施形態について、以下に考える。ＬＴＥシステムでは、ＣＱＩ送信が、ＰＵＣＣＨフォーマット２、２ａ又は２ｂに基づいて行われる（上述したＴＳ  ３６．２１１を参照）。図２は、ＣＱＩがシグナリングされる無線リソースが、ＣＳindexにより与えられるサイクリックシフトＣＳを有するｊ番目のＣＱＩチャンネルとして指示されることを示している。図２のＣＱＩチャンネルインデックスｊの値は、上位層（ｅＮｏｄｅＢ以上の）を経て明確にシグナリングされる。この規範的実施形態によるＣＱＩレポートの開ループ送信ダイバーシティの場合に、所与のＵＥに対して複数のＣＱＩリソースが割り当てられる。空間的観点から、異なるアンテナは、異なるＣＱＩリソースを利用する（例えば、ｅＮｏｄｅＢがｊ＝４及びｊ＝５をシグナリングすると仮定すれば、ＵＥの第１アンテナは、第４のＣＱＩチャンネルを利用し、そしてＵＥの第２アンテナは、第５のＣＱＩチャンネルを利用する）。ＣＱＩについての別の実施形態では、ｅＮｏｄｅＢは、ｊに対する１つの値しかシグナリングせず、そしてＵＥの異なるアンテナが、割り当てられたＣＱＩリソースからスタートして、連続するＣＱＩリソースを利用する（例えば、ｅＮｏｄｅＢは、ｊ＝４をシグナリングし、ＵＥの第１アンテナは、第４のＣＱＩチャンネルを使用し、そしてＵＥの第２アンテナｈ、第５のＣＱＩチャンネルを使用する）。ＣＱＩに対する別の実施形態では、ｅＮｏｄｅＢは、ｊに対する１つの値しかシグナリングせず、そしてＵＥの異なるアンテナが、割り当てられたサイクリックシフトリソースからスタートして、連続するサイクリックシフトリソースをＣＱＩリソースとして利用する（例えば、ｅＮｏｄｅＢは、ｊ＝４をシグナリングし、ＵＥの第１アンテナは、サイクリックシフトインデックス６をもつ第４のＣＱＩチャンネルを使用し、そしてＵＥの第２アンテナは、サイクリックシフトインデックス７をもつ第４のＣＱＩチャンネルを使用する）。上述したように、これらの技術は、３つ以上のＵＥアンテナへと容易に拡張される。
【００２７】
上述した本発明の実施形態は、付加的な空間ダイバーシティ利得によりＰＵＣＣＨのカバレージを改善すると共に、リンク性能の改善（ＰＵＣＣＨは干渉が制限される）によりその容量を増加させる。又、それらは、記号スペースの増加（付加的な空間層）により高いＵＬ  ＰＵＣＣＨペイロードも可能にする。マルチプレクシング容量は、ある程度減少するが、これは、高いペイロードにより少なくとも部分的に補償することができる。しかし、動的なＡＣＫ／ＮＡＣＫシグナリングでは、マルチプレクシング容量が低下せず、むしろ、未使用のリソースが使用に供されることに注意されたい。
【００２８】
本発明の規範的実施形態の具現化に使用するのに適した種々の電子装置の簡単なブロック図である図３について以下に説明する。図３において、ワイヤレスネットワーク３０１は、ノードＢ（ベースステーション）のようなネットワークアクセスノード、特に、ｅＮｏｄｅＢ３１２を経て、ＵＥ３１０と称される移動通信装置のような装置と通信するようにされる。ネットワーク３０１は、図３に示すＭＭＥ／Ｓ−ＧＷ機能を含むネットワーク制御要素（ＮＣＥ）３１４を備え、これは、別のネットワーク、例えば、電話ネットワーク及び／又はデータ通信ネットワーク（例えば、インターネット）との接続を与える。ＵＥ３１０は、データプロセッサ（ＤＰ）３１０Ａと、プログラム（ＰＲＯＧ）３１０Ｃを記憶するメモリ（ＭＥＭ）３１０Ｂと、ｅＮｏｄｅＢ３１２と両方向ワイヤレス通信するための適当な高周波（ＲＦ）トランシーバ３１０Ｄとを備え、ｅＮｏｄｅＢ３１２も、ＤＰ３１２Ａと、ＰＲＯＧ３１２Ｃを記憶するＭＥＭ３１２Ｂと、適当なＲＦトランシーバ３１２Ｄとを含む。これらの通信は、上述したチャンネル３１１を経て行われ、ＵＥ３１０は、その開ループダイバーシティ送信を、２つ以上のアンテナ３１０Ｅを経て送出するが、これらの教示から逸脱せずに、アンテナ３１０Ｅの１つ以上を受信用に使用してもよい。ｅＮｏｄｅＢ３１２は、少なくとも１つの送信アンテナ３１２Ｅを有するが、典型的に、上述した個々のＰＵＣＣＨ上でコードマルチプレクスする複数のＵＥへのそれ自身のＭＩＭＯ送信及び受信をサポートするアレイを有する。ｅＮｏｄｅＢ３１２は、モデム（図示せず）及びデータ経路３１３を経てＮＣＥ３１４のモデム（図示せず）に結合される。そのデータ経路３１３は、ＬＴＥシステムにおいて知られたＳ１インターフェイスとして実施される。別のｅＮｏｄｅＢ（図示せず）へ結合するために、Ｘ２インターフェイス（図示せず）のインスタンスが存在してもよい。少なくとも、ＰＲＯＧ３１０Ｃ、３１２Ｃは、関連ＤＰ３１０Ａ、３１２Ａによって実行されたときに、上述した本発明の規範的実施形態に基づき及び以下に述べるプロセス図において電子装置を動作できるようにするプログラムインストラクションを含むと仮定する。
【００２９】
本発明の規範的実施形態は、ＵＥ３１０のＤＰ３１０Ａにより、又はＵＥ３１０のハードウェアにより、又はそのソフトウェア及びハードウェア（及びファームウェア）の組み合わせにより実行可能なコンピュータソフトウェアで少なくとも部分的に具現化することができる。同様に、本発明の他の規範的実施形態は、ｅＮｏｄｅＢ３１２のＤＰ３１２Ａにより、又はｅＮｏｄｅＢ３１２のハードウェアにより、又はそのソフトウェア及びハードウェア（及びファームウェア）の組み合わせにより実行可能なコンピュータソフトウェアで少なくとも部分的に具現化することができる。種々の実施形態において上述されたマッピングは、各ローカルＭＥＭ３１０Ｂ、３１２Ｂに記憶された関係に基づいて行われ、その幾つかは、ＵＥ３１０とｅＮｏｄｅＢ３１２との間に使用するシステムのための当該ワイヤレス規格に規定されている。
【００３０】
一般的に、ＵＥ３１０の種々の実施形態は、セルラー電話、ワイヤレス通信能力を有するパーソナルデジタルアシスタント（ＰＤＡ）、ワイヤレス通信能力を有するポータブルコンピュータ、ワイヤレス通信能力を有するデジタルカメラのような映像捕獲装置、ワイヤレス通信能力を有するゲーム装置、ワイヤレス通信能力を有する音楽記憶及び再生機器、ワイヤレスインターネットアクセス及びブラウジングを許すインターネット機器、並びにそのような機能の組み合わせを合体するポータブルユニット又はターミナルを含むが、これらに限定されない。
【００３１】
ＭＥＭ３１０Ｂ及び３１２Ｂは、ローカルの技術的環境に適した任意の形式のもので、適当なデータ記憶技術、例えば、半導体ベースのメモリ装置、フラッシュメモリ、磁気メモリ装置及びシステム、光学的メモリ装置及びシステム、固定メモリ及び取り外し可能なメモリを使用して実施することができる。ＤＰ３１０Ａ及び３１２Ａは、ローカルの技術的環境に適した任意の形式のもので、汎用コンピュータ、特殊目的コンピュータ、マイクロプロセッサ、デジタル信号プロセッサ（ＤＳＰ）、及びマルチコアプロセッサアーキテクチャーをベースとするプロセッサの１つ以上を含むが、これらに限定されない。
【００３２】
典型的には、ｅＮｏｄｅＢ３１２によりサービスされる複数のＵＥ３１０があり、これらのＵＥは、上述した３ＧＰＰ  ＴＳ  ３６．２１１に記載されたコード分割マルチプレクシング及びＰＵＣＣＨフォーマットを使用して種々のＰＵＣＣＨ上の送信をｅＮｏｄｅＢ３１２へとマルチプレクスする。ＵＥ３１０は、同一の構成であっても、なくてもよいが、一般的には、その全部が、ワイヤレスネットワーク３０１内で動作するに必要な当該ネットワークプロトコル及び規格に電気的及び論理的に適合すると仮定する。
【００３３】
特に図４を参照して、更なる細部及び実施形態を以下に述べる。ＵＥの観点から、本発明の規範的実施形態は、方法と；プロセッサ、メモリ、送信器及び受信器を含む装置と；コンピュータプログラムを実施するメモリと；を包含し、これらは、図４のブロック４１０では、タイムスロットにおいてユーザターミナル／ＵＥの第１アンテナから第１基準信号を使用して第１の物理的アップリンク制御チャンネルを経て他のターミナルとマルチプレクスするように送信を行い、又、図４のブロック４１２では、その同じタイムスロットにおいてユーザターミナル／ＵＥの第２アンテナから前記第１基準信号に直交する第２基準信号を使用して第２の物理的アップリンク制御チャンネルを経て他のターミナルとマルチプレクスするように送信を行うよう動作する。ＬＴＥ特有の実施形態では、ブロック４１０及び４１２の第１及び第２の物理的アップリンク制御チャンネルは、異なるリソースであるＰＵＣＣＨの異なるインスタンスであるが、ＬＴＥは、それらを同じ物理的チャンネルとして参照することに注意されたい。
【００３４】
ＵＥの観点から１つの実施形態では、第１及び第２の各基準信号で乗算された同じ記号が第１及び第２の各アンテナから送信される。又、ＵＥの観点から別の実施形態では、第１及び第２の各基準信号で乗算された異なる記号が第１及び第２の各アンテナから送信される。これらは、図４のブロック４１４に示されている。
【００３５】
ＵＥの観点から別の実施形態では、第１及び第２のアンテナから送信されるのはＳＲＩ又はＣＱＩであり、そしてＵＥの観点から更に別の実施形態では、第１及び第２のアンテナから送信されるのは、ブロック４１６に見られるように、少なくとも第１基準信号が持続的に割り当てられるダウンリンクリソースへマップされるようにその持続的に割り当てられるダウンリンクリソースにおいてデータが受け取られる場合のＡＣＫ、又は少なくとも第１基準信号が持続的に割り当てられるダウンリンクリソースへマップされるようにその持続的に割り当てられるダウンリンクリソースに基づいてデータが受け取られない場合のＮＡＣＫである。これらのＡＣＫ／ＮＡＣＫ実施形態では、ＵＥは、（第１又は第２のアンテナから送信を行う前に、ブロック４０８において）少なくとも１つの物理的ダウンリンクチャンネルを経てデータを受け取り、そしてその少なくとも１つの物理的ダウンリンクチャンネルを少なくとも第１の物理的アップリンク制御チャンネルへとマップする。そのダウンリンクチャンネルは、ブロック４０６において、ＰＤＣＣＨを経てＵＥに割り当てられる。ブロック４１８に見られるように、ＡＣＫとされるか又はＮＡＣＫとされるデータが１つの動的に割り当てられる物理的ダウンリンクチャンネルのみを経て受け取られるＡＣＫ／ＮＡＣＫ実施形態の場合には、ユーザターミナルは、１つの物理的ダウンリンク制御チャンネルの第１制御チャンネル要素を経て物理的ダウンリンクチャンネルを第１基準信号へとマップすると共に、１つの物理的ダウンリンク制御チャンネルの第２制御チャンネル要素を経て物理的ダウンリンクチャンネルを第２基準信号へとマップする。ブロック４２０に見られるように、ＡＣＫとされるか又はＮＡＣＫとされるデータが第１及び第２の動的に割り当てられる物理的ダウンリンクチャンネルを経て受け取られるＡＣＫ／ＮＡＣＫ実施形態の場合には、ユーザターミナルは、第１の物理的ダウンリンク制御チャンネルの制御チャンネル要素を経て物理的ダウンリンクチャンネルを第１基準信号へとマップすると共に、第２の物理的ダウンリンク制御チャンネルの制御チャンネル要素を経て物理的ダウンリンクチャンネルを第２基準信号へとマップする。
【００３６】
ＵＥの観点から別の実施形態では、第１基準信号は、第１サイクリックシフトを有するゼロ自己相関コード（一定振幅のゼロ自己相関ＣＡＺＡＣコード）を含み、そして第２基準信号は、ブロック４２２に見られるように、第１基準信号に直交させる第２サイクリックシフトを有するゼロ自己相関コードを含む。ＵＥの観点から更に別の実施形態では、第１及び第２の基準信号の各々は、セル特有のサイクリックシフトを伴う同じＣＡＺＡＣコードを含み、そして第１及び第２の基準信号は、ブロック４２４に見られるように、ユーザターミナルがそれらの少なくとも１つに適用するカバーコードにより直交される。［コメント：図４の４２４から「セル特有(cell-specific)」を除去すべきである］
【００３７】
特定のエンティティ（ＵＥ又はｅＮｏｄｅＢ）に対して図４に示された種々のブロックは、方法のステップとして、及び／又はコンピュータプログラムコードのオペレーションから生じるオペレーションとして、及び／又は関連ファンクションを実行するように構成された複数の結合された論理回路要素として、考えられることに注意されたい。
【００３８】
一般的に、種々の規範的実施形態は、ハードウェア又は特殊目的回路、ソフトウェア、ロジック又はその組み合わせで実施することができる。例えば、ある態様は、ハードウェアで実施される一方、他の態様は、コントローラ、マイクロプロセッサ又は他のコンピューティング装置で実行されるファームウェア又はソフトウェアで実施されるが、本発明は、それらに限定されない。本発明の規範的実施形態の種々の態様は、ブロック図、フローチャートとして、又は他の絵画的表現を使用して、図示して説明できるが、ここに述べるブロック、装置、システム、技術又は方法は、非限定例として、ハードウェア、ソフトウェア、ファームウェア、特殊目的回路又はロジック、汎用ハードウェア又はコントローラ、又は他のコンピューティング装置、或いはその幾つかの組み合わせで実施できることも理解されたい。
【００３９】
従って、本発明の規範的実施形態の少なくとも幾つかの態様は、集積回路チップ及びモジュールのような種々のコンポーネントで実施できることが明らかであろう。集積回路の設計は、全般的に、高度に自動化されたプロセスである。ロジックレベル設計を、半導体基板上に製造する準備のできた半導体回路設計へと変換するための複雑で且つパワフルなソフトウェアツールが入手できる。このようなソフトウェアツールは、良好に確立された設計ルール、及び事前に記憶された設計モジュールのライブラリーを使用して半導体基板上に導体を自動的に引き回し、コンポーネントを配置することができる。半導体回路の設計が完了すると、それにより得られた設計は、標準電子フォーマット（例えば、Ｏｐｕｓ、ＧＤＳＩＩ、等）で、半導体製造ファシリティへ、１つ以上の集積回路デバイスとして製造するために、送信される。
【００４０】
当業者であれば、以上の説明を添付図面及び特許請求の範囲に関連して読んだときに、種々の変更及び適応が明らかであろう。例えば、図４に示す幾つかのステップは、図示された以外の順序で実行することもでき、又、上述した幾つかの計算は、他の仕方で遂行することもできる。しかしながら、本発明の教示のこのような変更及び同様の変更は、全て、本発明の範囲内に包含される。
【００４１】
更に、規範的実施形態は、Ｅ−ＵＴＲＡＮ（ＵＴＲＡＮ−ＬＴＥ）システムに関連して上述したが、本発明の規範的実施形態は、この１つの特定形式のワイヤレス通信システムのみに限定使用されるものではなく、他の形式のワイヤレス通信システムにも効果的に使用できることが明らかであろう。
【００４２】
「接続(connected)」、「結合(coupled)」又はその変形は、２つ以上の要素間の直接的又は間接的な接続又は結合を意味し、且つ一緒に「接続」又は「結合」される２つの要素間に１つ以上の中間要素が存在することも包含することに注意されたい。要素間の結合又は接続は、物理的、論理的又はその組み合わせである。幾つかの非限定的で且つ非徹底的な例として、ここで使用する２つの要素は、１本以上のワイヤ、ケーブル及び／又は印刷電気的接続の使用により、並びに高周波領域、マイクロ波領域及び光学的領域（可視及び非可視の両方）に波長を有する電磁エネルギーのような電磁エネルギーの使用により、一緒に「接続」又は「結合」されると考えられる。
【００４３】
更に、本発明の実施例の幾つかの特徴は、他の特徴を対応的に使用せずに効果を発揮するように使用することができる。従って、以上の説明は、本発明の原理、教示、実施例、及び規範的実施形態を単に例示するものと考えられ、それらを限定するものではない。
【符号の説明】
【００４４】
３０１：ワイヤレスネットワーク
３１０：ＵＥ
３１０Ａ：データプロセッサ（ＤＰ）
３１０Ｂ：メモリ（ＭＥＭ）
３１０Ｃ：プログラム（ＰＲＯＧ）
３１０Ｄ：ＲＦトランシーバ
３１０Ｅ：アンテナ
３１２：ｅＮｏｄｅＢ
３１２Ｅ：アンテナ
３１３：データ経路
３１４：ネットワーク制御要素（ＮＣＥ）
【図１】
2014068357.tif 000004
【図２】
2014068357.tif 000005
【図３】
2014068357.tif 000006
【図４】
2014068357.tif 000007
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
タイムスロットにおいてユーザ装置の第１アンテナから第１基準信号を使用して第１の物理的アップリンク制御チャンネルを経て他のユーザ装置とマルチプレクスするよう送信を行うステップと、
前記タイムスロットにおいてユーザ装置の第２アンテナから第２基準信号を使用して第２の物理的アップリンク制御チャンネルを経て他のユーザ装置とマルチプレクスするよう送信を行うステップと、
を備え、前記第１基準信号及び第２基準信号は、サイクリックシフトのゼロ自己相関コードを含み、更に、前記サイクリックシフトの少なくとも１つにより、又は前記第１及び第２の基準信号の少なくとも１つに適用されるカバーコードにより、第２基準信号が第１基準信号に対して直交するようにした方法であって、
前記第１アンテナからの送信及び前記第２アンテナからの送信は、前記第１基準信号及び前記第２基準信号の各々により乗算された同じ記号を含む方法。
【請求項２】
前記タイムスロットにおいてユーザ装置の第３アンテナから第３基準信号を使用して第３の物理的アップリンク制御チャンネルを経て他のユーザ装置とマルチプレクスするよう送信を行うステップを更に備え、前記第３基準信号のチャンネルは、サイクリックシフトのゼロ自己相関コードを含み、更に、前記サイクリックシフトの少なくとも１つにより、又は前記第１及び第２、並びに第３の基準信号の少なくとも２つに適用されるカバーコードにより、前記第１基準信号及び第２基準信号の両方に対して直交するようにした、請求項１に記載の方法。
【請求項３】
前記第１基準信号は、第１のサイクリックシフトによりサイクリックにシフトされ、前記第２基準信号は、第２のサイクリックシフトによりサイクリックにシフトされ、そして前記第１及び第２のサイクリックシフトは、互いに直交する、請求項１に記載の方法。
【請求項４】
前記第１及び第２の基準信号は、少なくとも、それらのうちの少なくとも一方に適用されるカバーコードにより互いに直交される、請求項１に記載の方法。
【請求項５】
前記第１アンテナからの送信及び前記第２アンテナからの送信は、前記第１及び第２の各基準信号により乗算された異なる記号を含む、請求項１から４のいずれかに記載の方法。
【請求項６】
前記第１アンテナ及び第２アンテナからの送信は、
スケジューリング要求指示子を送信すること、又は
少なくとも第１基準信号が持続的に割り当てられるダウンリンクリソースへマップされるようにその持続的に割り当てられるダウンリンクリソースにおいて受け取られるデータに対する確認を送信すること、又は
少なくとも第１基準信号が持続的に割り当てられるダウンリンクリソースへマップされるようにその持続的に割り当てられるダウンリンクリソースに基づいて受け取られないデータに対する否定確認を送信すること、
のうちの１つを含む、請求項１から４のいずれかに記載の方法。
【請求項７】
第１又は第２のアンテナから送信を行う前に、少なくとも１つの物理的ダウンリンクチャンネルを経てデータを受け取り、そしてその少なくとも１つの物理的ダウンリンクチャンネルを少なくとも第１の物理的アップリンク制御チャンネルへマップすることを更に含み、更に、第１及び第２のアンテナからの送信は、各々、データが適切に受け取られた場合の確認、又はデータが適切に受け取られない場合の否定確認を含む、請求項１から４のいずれかに記載の方法。
【請求項８】
前記少なくとも１つの物理的ダウンリンクチャンネルは、物理的ダウンリンク制御チャンネルを経てユーザ装置へ動的に割り当てられ、
前記少なくとも１つの物理的ダウンリンクチャンネルが１つの物理的ダウンリンクチャンネルだけである場合は、ユーザ装置は、１つの物理的ダウンリンク制御チャンネルの第１制御チャンネル要素を経て物理的ダウンリンクチャンネルを第１基準信号へマップすると共に、１つの物理的ダウンリンク制御チャンネルの第２制御チャンネル要素を経て物理的ダウンリンクチャンネルを第２基準信号へマップし、又は
前記少なくとも１つの物理的ダウンリンクチャンネルが少なくとも第１及び第２の物理的ダウンリンクチャンネルである場合は、ユーザ装置は、第１の物理的ダウンリンク制御チャンネルの制御チャンネル要素を経て物理的ダウンリンクチャンネルを第１基準信号へマップすると共に、第２の物理的ダウンリンク制御チャンネルの制御チャンネル要素を経て物理的ダウンリンクチャンネルを第２基準信号へマップする、
ことを含む請求項７に記載の方法。
【請求項９】
前記第１及び第２のアンテナの各々からの送信は、チャンネルクオリティ指示子を送信することを含む、請求項１から４のいずれかに記載の方法。
【請求項１０】
送信手段、処理手段、及び少なくとも第１及び第２の放射手段を備えた装置において、
送信手段は、タイムスロットにおいて第１放射手段から第１基準信号を使用して第１の物理的アップリンク制御チャンネルを経て他の装置とマルチプレクスするよう送信を行うものであり、
送信手段は、更に、前記タイムスロットにおいて第２放射手段から第２基準信号を使用して第２の物理的アップリンク制御チャンネルを経て他の装置とマルチプレクスするよう送信を行うもので、第１及び第２の基準信号は、ゼロ自己相関コードを含み、
処理手段は、第１及び第２の基準信号をサイクリックシフトすると共に、サイクリックシフトの少なくとも１つにより、又は第１及び第２の基準信号の少なくとも１つに適用されるカバーコードにより、第１及び第２の基準信号を互いに直交させる、装置であって、
前記送信手段は、前記第１及び第２の各放射手段から、前記第１及び第２の基準信号の各々により乗算された同じ記号を送信するためのものである装置。
【請求項１１】
第３の放射手段を更に備え、
前記送信手段は、更に、前記タイムスロットにおいて第３放射手段から第３基準信号を使用して第３の物理的アップリンク制御チャンネルを経て他の装置とマルチプレクスするよう送信を行うものであり、前記処理手段は、更に、第３基準信号をサイクリックシフトし、そして前記サイクリックシフトの少なくとも１つにより、又は前記第１及び第２並びに第３の基準信号の少なくとも２つに適用されるカバーコードにより、前記第１及び第２並びに第３基準信号を互いに直交させるようにした、請求項１０に記載の装置。
【請求項１２】
前記処理手段は、前記第１基準信号を第１のサイクリックシフトによりサイクリックにシフトさせ、前記第２基準信号を第２のサイクリックシフトによりサイクリックにシフトさせ、そして前記第１及び第２のサイクリックシフトは、互いに直交する、請求項１０に記載の装置。
【請求項１３】
前記処理手段は、前記第１及び第２の基準信号を、少なくとも、それらのうちの少なくとも一方に適用されるカバーコードにより互いに直交させる、請求項１０に記載の装置。
【請求項１４】
前記送信手段は、前記第１及び第２の各放射手段から、前記第１及び第２の各基準信号により乗算された異なる記号を送信するためのものである、請求項１０から１３のいずれかに記載の装置。
【請求項１５】
前記第１及び第２の基準信号は、前記送信手段により、
スケジューリング要求指示子、又は
前記処理手段が少なくとも第１基準信号を持続的に割り当てられるダウンリンクリソースへとマップさせるように、その持続的に割り当てられるダウンリンクリソースにおいて装置の受信器に受け取られるデータに対する確認、又は
前記処理手段が少なくとも第１基準信号を持続的に割り当てられるダウンリンクリソースへマップさせるように、その持続的に割り当てられるダウンリンクリソースに基づいて装置の受信器に受け取られないデータに対する否定確認、
のうちの１つと共に送信される、請求項１０から１３のいずれかに記載の装置。
【請求項１６】
前記送信手段が第１又は第２の放射手段から送信を行う前に、少なくとも１つの物理的ダウンリンクチャンネルを経てデータを受け取るように構成された受信器を更に備え、
前記処理手段は、前記少なくとも１つの物理的ダウンリンクチャンネルを少なくとも第１の物理的アップリンク制御チャンネルへマップするものであり、更に、
前記第１及び第２の基準信号は、前記送信手段により、前記受信器がデータを適切に受け取る場合の確認、又は前記受信器がデータを適切に受け取らない場合の否定確認と共に送信される、請求項１０から１３のいずれかに記載の装置。
【請求項１７】
前記少なくとも１つの物理的ダウンリンクチャンネルの動的割り当てを受け取るように構成された受信器を更に備え、
前記少なくとも１つの物理的ダウンリンクチャンネルが１つの物理的ダウンリンクチャンネルだけである場合には、前記処理手段は、１つの物理的ダウンリンク制御チャンネルの第１制御チャンネル要素を経て物理的ダウンリンクチャンネルを第１基準信号へマップすると共に、１つの物理的ダウンリンク制御チャンネルの第２制御チャンネル要素を経て物理的ダウンリンクチャンネルを第２基準信号へマップし、又は
前記少なくとも１つの物理的ダウンリンクチャンネルが少なくとも第１及び第２の物理的ダウンリンクチャンネルである場合には、前記処理手段は、第１の物理的ダウンリンク制御チャンネルの制御チャンネル要素を経て物理的ダウンリンクチャンネルを第１基準信号へマップすると共に、第２の物理的ダウンリンク制御チャンネルの制御チャンネル要素を経て物理的ダウンリンクチャンネルを第２基準信号へマップする、請求項１６に記載の装置。
【請求項１８】
前記送信手段は、第１及び第２の各放射手段から第１及び第２の各基準信号をチャンネルクオリティ指示子と共に送信する、請求項１０から１３のいずれかに記載の装置。
【請求項１９】
前記送信手段は、送信器を含み、前記処理手段は、プロセッサを含み、そして前記第１及び第２の放射手段は、第１及び第２の各送信アンテナを含む、請求項１０から１３のいずれかに記載の装置。
【請求項２０】
プロセッサにより実行されたときに直交信号を送信することに向けられるアクションを生じるインストラクションのプログラムを実施するメモリにおいて、前記アクションは、
タイムスロットにおいてユーザ装置の第１アンテナから第１基準信号を使用して第１の物理的アップリンク制御チャンネルを経て他のユーザ装置とマルチプレクスするよう送信を行い、そして
前記タイムスロットにおいてユーザ装置の第２アンテナから第２基準信号を使用して第２の物理的アップリンク制御チャンネルを経て他のユーザ装置とマルチプレクスするよう送信を行う、
ことを含み、前記第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交するようにした、メモリであって、
前記第１アンテナからの送信及び前記第２アンテナからの送信は、前記第１基準信号及び前記第２基準信号の各々により乗算された同じ記号を含むメモリ。
【請求項２１】
前記アクションは、更に、前記タイムスロットにおいてユーザ装置の第３アンテナから第３基準信号を使用して第３の物理的アップリンク制御チャンネルを経て他のユーザ装置とマルチプレクスするよう送信を行うことを含み、前記第３基準信号のチャンネルは、サイクリックシフトのゼロ自己相関コードを含み、更に、前記サイクリックシフトの少なくとも１つにより、又は前記第１及び第２、並びに第３の基準信号の少なくとも２つに適用されるカバーコードにより、前記第１基準信号及び第２基準信号の両方に対して直交するようにした、請求項２０に記載のメモリ。
【請求項２２】
前記第１基準信号は、第１のサイクリックシフトによりサイクリックにシフトされ、前記第２基準信号は、第２のサイクリックシフトによりサイクリックにシフトされ、そして前記第１及び第２のサイクリックシフトは、互いに直交する、請求項２０に記載のメモリ。
【請求項２３】
前記第１及び第２の基準信号は、少なくとも、それらのうちの少なくとも一方に適用されるカバーコードにより互いに直交される、請求項２０に記載のメモリ。
【請求項２４】
前記第１アンテナからの送信及び前記第２アンテナからの送信は、前記第１及び第２の各基準信号により乗算された異なる記号を含む、請求項２０から２３のいずれかに記載のメモリ。
【請求項２５】
前記第１アンテナ及び第２アンテナからの送信は、
スケジューリング要求指示子を送信すること、又は
少なくとも第１基準信号が持続的に割り当てられるダウンリンクリソースへマップされるようにその持続的に割り当てられるダウンリンクリソースにおいて受け取られるデータに対する確認を送信すること、又は
少なくとも第１基準信号が持続的に割り当てられるダウンリンクリソースへマップされるようにその持続的に割り当てられるダウンリンクリソースに基づいて受け取られないデータに対する否定確認を送信すること、
のうちの１つを含む、請求項２０から２３のいずれかに記載のメモリ。
【請求項２６】
前記アクションは、更に、第１又は第２のアンテナから送信を行う前に、少なくとも１つの物理的ダウンリンクチャンネルを経てデータを受け取り、そしてその少なくとも１つの物理的ダウンリンクチャンネルを少なくとも第１の物理的アップリンク制御チャンネルへマップすることを含み、更に、第１及び第２のアンテナからの送信は、各々、データが適切に受け取られた場合の確認、又はデータが適切に受け取られない場合の否定確認を含む、請求項２０から２３のいずれかに記載のメモリ。
【請求項２７】
前記少なくとも１つの物理的ダウンリンクチャンネルは、物理的ダウンリンク制御チャンネルを経てユーザ装置へ動的に割り当てられ、
前記少なくとも１つの物理的ダウンリンクチャンネルが１つの物理的ダウンリンクチャンネルだけである場合は、ユーザ装置は、１つの物理的ダウンリンク制御チャンネルの第１制御チャンネル要素を経て物理的ダウンリンクチャンネルを第１基準信号へマップすると共に、１つの物理的ダウンリンク制御チャンネルの第２制御チャンネル要素を経て物理的ダウンリンクチャンネルを第２基準信号へマップし、又は
前記少なくとも１つの物理的ダウンリンクチャンネルが少なくとも第１及び第２の物理的ダウンリンクチャンネルである場合は、ユーザ装置は、第１の物理的ダウンリンク制御チャンネルの制御チャンネル要素を経て物理的ダウンリンクチャンネルを第１基準信号へマップすると共に、第２の物理的ダウンリンク制御チャンネルの制御チャンネル要素を経て物理的ダウンリンクチャンネルを第２基準信号へマップする、
請求項２６に記載のメモリ。
【請求項２８】
タイムスロットにおいて第１の物理的アップリンク制御チャンネルを経て第１基準信号を含む第１の複数のユーザ装置からの第１のマルチプレクスされた信号を受信するステップと、
前記タイムスロットにおいて第２の物理的アップリンク制御チャンネルを経て第２基準信号を含む第２の複数のユーザ装置からの第２のマルチプレクスされた信号を受信するステップと、を備え、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交され、更に、
前記第１及び第２基準信号を第１ユーザ装置へマッピングさせるステップを備え、この第１ユーザ装置は、前記第１の複数及び第２の複数の両ユーザ装置のメンバーであるようにした、方法であって、
前記第１の及び第２のマルチプレクスされた信号は各々、前記第１基準信号及び前記第２基準信号の各々により乗算された同じ記号を含む方法。
【請求項２９】
前記第１ユーザ装置にダウンリンクリソース割り当てを割り当て、そしてそのダウンリンクリソース割り当てに関するデータを前記ユーザ装置へ送信するステップを更に備え、
前記第１及び第２の基準信号は、送信データに対する確認又は送信データに対する否定確認の一方で乗算される、請求項２８に記載の方法。
【請求項３０】
受信器及びプロセッサを備えた装置において、
受信器は、タイムスロットにおいて第１の物理的アップリンク制御チャンネルを経て、第１基準信号を含む第１の複数のユーザ装置から第１のマルチプレクスされた信号を受信するように構成され、
受信器は、更に、前記タイムスロットにおいて第２の物理的アップリンク制御チャンネルを経て、第２基準信号を含む第２の複数のユーザ装置から第２のマルチプレクスされた信号を受信するように構成され、第１基準信号及び第２基準信号は、サイクリックシフトのゼロ自己相関コードを含み、更に、サイクリックシフトの少なくとも１つにより、又は第１及び第２の基準信号の少なくとも１つに適用されるカバーコードにより、第２基準信号が第１基準信号に対して直交するようにされ、
プロセッサは、第１及び第２の基準信号を第１ユーザ装置へマッピングさせるよう構成され、この第１ユーザ装置は、前記第１の複数及び第２の複数の両ユーザ装置のメンバーである、装置であって、
前記第１の及び第２のマルチプレクスされた信号は各々、前記第１基準信号及び第２基準信号の各々により乗算された同じ記号を含む装置。
【請求項３１】
ダウンリンクリソース割り当てを前記第１ユーザ装置へ送信し、そしてそのダウンリンクリソース割り当てに関するデータを前記ユーザ装置へ送信するように構成された送信器を更に備え、
前記第１及び第２の基準信号は、送信データに対する確認又は送信データに対する否定確認の一方で乗算される、請求項３０に記載の装置。